【手続補正書】
【提出日】平成19年10月19日(2007.10.19)
【手続補正１】
【補正対象書類名】明細書
【補正対象項目名】発明の名称
【補正方法】変更
【補正の内容】
【発明の名称】情報処理システム、記録機器の制御方法、プログラム及び媒体
【手続補正２】
【補正対象書類名】明細書
【補正対象項目名】特許請求の範囲
【補正方法】変更
【補正の内容】
【特許請求の範囲】
【請求項１】  設定データを設定する対象機器に、該対象機器の設定データを保存する記録機器を使って情報を設定する情報処理システムであって、
前記対象機器の機器ＩＤと前記対象機器のユーザの認証用データとを前記対象機器から前記記録機器に送信する第１の送信手段と、
前記対象機器から受信した前記機器ＩＤと前記認証用データを基に、前記記録機器に保存された前記対象機器と前記ユーザのレベルに応じた設定データを検索する検索手段と、
該検索された設定データを前記記録機器から前記対象機器に送信する第２の送信手段と、
前記記録機器から受信した前記設定データを基に、前記対象機器に設定データを設定する設定手段とを備えたことを特徴とする情報処理システム。
【請求項２】  前記レベルは、前記ユーザによる前記対象機器の使用回数に基づくことを特徴とする請求項１に記載の情報処理システム。
【請求項３】  前記レベルは、前記ユーザによる前記対象機器の利用の許可の判定に基づくことを特徴とする請求項１に記載の情報処理システム。
【請求項４】  設定データを設定する対象機器に、該対象機器の設定データを保存する記録機器を使って情報を設定する情報処理システムの前記対象機器の設定方法であって、
前記対象機器の機器ＩＤと前記対象機器のユーザの認証用データとを前記対象機器から前記記録機器に送信する第１の送信工程と、
前記対象機器から受信した前記機器ＩＤと前記認証用データを基に、前記記録機器に保存された前記対象機器と前記ユーザのレベルに応じた設定データを検索する検索工程と、
該検索された設定データを前記記録機器から前記対象機器に送信する第２の送信工程と、
前記記録機器から受信した前記設定データを基に、前記対象機器に設定データを設定する設定工程とを備えたことを特徴とする設定方法。
【請求項５】対象機器を設定する記録機器であって、
前記対象機器から受信した機器ＩＤと前記対象機器のユーザを認証する認証用データとに基づいて、前記ユーザのレベルに応じて前記対象機器の設定データを検索する検索手段と、
該検索された設定データおよび前記機器ＩＤを、前記対象機器を前記設定データにより設定するために前記対象機器に送信する送信手段とを備えたことを特徴とする記録機器。
【請求項６】前記レベルは、前記ユーザによる前記対象機器の使用回数に基づくことを特徴とする請求項５に記載の記録機器。
【請求項７】対象機器を設定する記録機器の制御方法であって、
前記対象機器から受信した機器ＩＤと前記対象機器のユーザを認証する認証用データとに基づいて、前記ユーザのレベルに応じて前記対象機器の設定データを検索する検索工程と、
該検索された設定データおよび前記機器ＩＤを、前記対象機器を前記設定データにより設定するために前記対象機器に送信する送信工程とを備えたことを特徴とする制御方法。
【請求項８】対象機器を設定する記録機器により実行されるプログラムであって、
前記対象機器から受信した機器ＩＤと前記対象機器のユーザを認証する認証用データとに基づいて、前記ユーザのレベルに応じて前記対象機器の設定データを検索する検索工程と、
該検索された設定データおよび前記機器ＩＤを、前記対象機器を前記設定データにより設定するために前記対象機器に送信する送信工程とを備えたことを特徴とするプログラム。
【請求項９】  請求項８に記載のプログラムを格納したことを特徴とする記録媒体。
【手続補正３】
【補正対象書類名】明細書
【補正対象項目名】０００１
【補正方法】変更
【補正の内容】
【０００１】
【発明の属する技術分野】
本発明は、対象機器に対して設定データを自動的に再設定することが可能な機能を備えた情報処理システム、記録機器の制御方法、プログラム及び媒体に関する。
【手続補正４】
【補正対象書類名】明細書
【補正対象項目名】０００８
【補正方法】変更
【補正の内容】
【０００８】
本発明は上記従来の問題点に鑑み、操作性を損なうことなく、対象機器にアクセスするユーザを区別し、ユーザの区分毎に異なる処理を行うことが可能となる情報処理システム、記録機器の制御方法、プログラム及び媒体を提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明の情報処理システムは、設定データを設定する対象機器に、該対象機器の設定データを保存する記録機器を使って情報を設定する情報処理システムであって、 前記対象機器の機器ＩＤと前記対象機器のユーザの認証用データとを前記対象機器から前記記録機器に送信する第１の送信手段と、前記対象機器から受信した前記機器ＩＤと前記認証用データを基に、前記記録機器に保存された前記対象機器と前記ユーザのレベルに応じた設定データを検索する検索手段と、該検索された設定データを前記記録機器から前記対象機器に送信する第２の送信手段と、前記記録機器から受信した前記設定データを基に、前記対象機器に設定データを設定する設定手段とを備えたことを特徴とする。
本発明の設定方法は、設定データを設定する対象機器に、該対象機器の設定データを保存する記録機器を使って情報を設定する情報処理システムの前記対象機器の設定方法であって、前記対象機器の機器ＩＤと前記対象機器のユーザの認証用データとを前記対象機器から前記記録機器に送信する第１の送信工程と、前記対象機器から受信した前記機器ＩＤと前記認証用データを基に、前記記録機器に保存された前記対象機器と前記ユーザのレベルに応じた設定データを検索する検索工程と、該検索された設定データを前記記録機器から前記対象機器に送信する第２の送信工程と、前記記録機器から受信した前記設定データを基に、前記対象機器に設定データを設定する設定工程とを備えたことを特徴とする。
本発明の制御方法は、対象機器を設定する記録機器の制御方法であって、前記対象機器から受信した機器ＩＤと前記対象機器のユーザを認証する認証用データとに基づいて、前記ユーザのレベルに応じて前記対象機器の設定データを検索する検索工程と、該検索された設定データおよび前記機器ＩＤを、前記対象機器を前記設定データにより設定するために前記対象機器に送信する送信工程とを備えたことを特徴とする。
本発明のプログラムは、対象機器を設定する記録機器により実行されるプログラムであって、前記対象機器から受信した機器ＩＤと前記対象機器のユーザを認証する認証用データとに基づいて、前記ユーザのレベルに応じて前記対象機器の設定データを検索する検索工程と、該検索された設定データおよび前記機器ＩＤを、前記対象機器を前記設定データにより設定するために前記対象機器に送信する送信工程とを備えたことを特徴とする。
本発明の記録媒体は、上記プログラムを格納したことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】